(57)【要約】【課題】製品のランニングコストを抑制し、火の演出に対して任意のタイミングで照明の演出を確実にできる電飾キャンドル装置と、当該電飾キャンドル装置を構成するキャンドルと、照明ユニットと、リユース用の照明ユニットを提供することを課題とする。【解決手段】電飾キャンドル装置では、キャンドル１は、蝋体部１１が照明ユニット２の本体部２３に分離自在に取付け可能であり、蝋体部１１の開口端１１ａを介して中空部１１ｂに照明ユニット２の照明手段２０が配置され、且つ、蝋体部１１外に一対の露出電極２４が配置されるように、照明ユニット２の本体部２３に取り付けられる構成であることを特徴とする。【選択図】図２
0003187846.tif 000002
【実用新案登録請求の範囲】
【請求項１】
長尺な芯及び該芯の一端側が凸設される蝋材料の蝋体部を備え、前記蝋体部は、開口が形成される開口端、及び、該開口に連通する内部空間である中空部を有して構成されるキャンドルと、該キャンドルを照明するための照明ユニットとを備えて構成されており、
前記照明ユニットは、蝋体部を照明するための照明手段と、照明手段のための電源である電池と、照明手段及び電池に各々接続される制御回路と、照明手段及び電池及び制御回路が設けられる本体部と、制御回路に接続され本体部外に露出する一対の露出電極とを備え、前記制御回路は、一対の露出電極が電気的に接続されると、蝋体部を照明するために必要な電源が電池から照明手段に供給されるように、電池から照明手段への電源供給を制御する電飾キャンドル装置であって、
前記キャンドルは、蝋体部が照明ユニットの本体部に分離自在に取付け可能であり、蝋体部の開口端を介して中空部に照明ユニットの照明手段が配置され、且つ、蝋体部外に一対の露出電極が配置されるように、照明ユニットの本体部に取り付けられる構成であることを特徴とする電飾キャンドル装置。
【請求項２】
電池と制御回路とは、各々板状に構成されており、板状の平たい面同士を対向させて重ねるようにして本体部内に収容されている請求項１記載の電飾キャンドル装置。
【請求項３】
発光可能な照明手段と、照明手段のための電源である電池と、照明手段及び電池に各々接続される制御回路と、照明手段及び電池及び制御回路が設けられる本体部と、制御回路に接続され本体部外に露出する一対の露出電極とを備え、制御回路は、一対の露出電極が電気的に接続されると、発光に必要な電源が電池から照明手段に供給されるように、電池から照明手段への電源供給を制御する照明ユニットに対して取り付けられるように構成され、長尺な芯及び該芯の一端側が凸設される蝋材料の蝋体部を備え、前記蝋体部は、開口が形成される開口端、及び、該開口に連通する内部空間である中空部を有して構成されるキャンドルであって、
前記蝋体部は、照明ユニットの本体部に分離自在に取付け可能であり、開口端を介して中空部に照明ユニットの照明手段が配置され、且つ、蝋体部外に一対の露出電極が配置されるように、照明ユニットの本体部に取り付けられるように構成されることを特徴とするキャンドル。
【請求項４】
長尺な芯及び該芯の一端側が凸設される蝋材料の蝋体部を備え、前記蝋体部は、開口が形成される開口端、及び、該開口に連通する内部空間である中空部を有して構成されるキャンドルを照明するように構成されており、
キャンドルの蝋体部を照明するための照明手段と、照明手段のための電源である電池と、照明手段及び電池に各々接続される制御回路と、照明手段及び電池及び制御回路が設けられる本体部と、制御回路に接続され本体部外に露出する一対の露出電極とを備え、
前記制御回路は、一対の露出電極が電気的に接続されると、蝋体部を照明するために必要な電源が電池から照明手段に供給されるように、電池から照明手段への電源供給を制御する照明ユニットであって、
前記本体部は、キャンドルの蝋体部に分離自在に取付け可能であり、照明手段が蝋体部の開口端を介して中空部に配置され、且つ、一対の露出電極が蝋体部外に配置されるように、蝋体部に取り付けられるように構成されることを特徴とする照明ユニット。
【請求項５】
長尺な芯及び該芯の一端側が凸設される蝋材料の蝋体部を備え、前記蝋体部は、開口が形成される開口端、及び、該開口に連通する内部空間である中空部を有して構成されるキャンドルを照明するように構成されており、
キャンドルの蝋体部を照明するための照明手段と、照明手段のための電源である電池と、照明手段及び電池に各々接続される制御回路と、照明手段及び電池及び制御回路が設けられる本体部と、制御回路に接続され本体部外に露出する一対の露出電極とを備え、
前記制御回路は、一対の露出電極が電気的に接続されると、蝋体部を照明するために必要な電源が電池から照明手段に供給されるように、電池から照明手段への電源供給を制御するリユース用の照明ユニットであって、
前記本体部は、キャンドルの蝋体部に分離自在に取付け可能であり、照明手段が蝋体部の開口端を介して中空部に配置され、且つ、一対の露出電極が蝋体部外に配置されるように、蝋体部に取り付けられるように構成され、
先に用いられている電池を、リユースのために照明手段に電源供給可能な容量を有する電池に交換することができるように構成されるリユース用の照明ユニット。
【考案の詳細な説明】
【技術分野】
【０００１】
本考案は、電飾のための電飾キャンドル装置と、当該電飾キャンドル装置を構成するキャンドルと、照明ユニットと、リユース用の照明ユニットとに関する。
【背景技術】
【０００２】
従来、この種の電飾キャンドル装置として、芯が凸設される蝋材料のキャンドル本体と、キャンドル本体を照明する照明ユニットとを備えるものが知られている（例えば、特許文献１）。
【０００３】
照明ユニットは、キャンドル本体を照明する光源と、光源のための電池と、一端が芯に沿ってキャンドル本体から凸設されるようにキャンドル本体に埋設される一対の通電制御線と、光源と電池と一対の通電制御線の他端とが設けられる収容ケースとを備える。収容ケースは、キャンドル本体に設けられる中空部に配置される。また、一対の通電制御線は、互いの接触を防止するための絶縁被覆材を有している。
【０００４】
かかる電飾キャンドル装置では、キャンドル本体の芯に火をつけ、一対の通電制御線に設けられている絶縁被覆材を焼失させて、一対の露出電極を接触させると、電池の電源が光源に供給され、光源がキャンドル本体を照明するように構成されている。
【先行技術文献】
【特許文献】
【０００５】
【特許文献１】実用新案登録第３０９７４５６号公報
【考案の概要】
【考案が解決しようとする課題】
【０００６】
しかしながら、上記従来の電飾キャンドル装置では、（１）照明ユニットの一対の通電制御線がキャンドル本体に埋設されているため、キャンドル本体又は照明ユニットのいずれか一方の交換を要する場合に、その一方だけを交換することが難しく、全体を交換することで製品のランニングコストが上昇してしまう、（２）芯に付けられた火によって、一対の通電制御線を接触させる仕組みなので、火の演出に対して任意のタイミングで照明の演出を確実にすることが難しい、という課題があった。
【０００７】
そこで、本考案は、上記問題に鑑みてなされたもので、製品のランニングコストを抑制し、火の演出に対して任意のタイミングで照明の演出を確実にできる電飾キャンドル装置と、当該電飾キャンドル装置を構成するキャンドルと、照明ユニットと、リユース用の照明ユニットを提供することを課題とする。
【課題を解決するための手段】
【０００８】
本考案に係る電飾キャンドル装置は、上記課題を解決するためになされたもので、長尺な芯及び該芯の一端側が凸設される蝋材料の蝋体部を備え、前記蝋体部は、開口が形成される開口端、及び、該開口に連通する内部空間である中空部を有して構成されるキャンドルと、該キャンドルを照明するための照明ユニットとを備えて構成されており、前記照明ユニットは、蝋体部を照明するための照明手段と、照明手段のための電源である電池と、照明手段及び電池に各々接続される制御回路と、照明手段及び電池及び制御回路が設けられる本体部と、制御回路に接続され本体部外に露出する一対の露出電極とを備え、前記制御回路は、一対の露出電極が電気的に接続されると、蝋体部を照明するために必要な電源が電池から照明手段に供給されるように、電池から照明手段への電源供給を制御する電飾キャンドル装置であって、前記キャンドルは、蝋体部が照明ユニットの本体部に分離自在に取付け可能であり、蝋体部の開口端を介して中空部に照明ユニットの照明手段が配置され、且つ、蝋体部外に一対の露出電極が配置されるように、照明ユニットの本体部に取り付けられる構成であることを特徴とする。
【０００９】
かかる電飾キャンドル装置では、キャンドルは、蝋体部が照明ユニットの本体部に分離自在に取付け可能であるため、照明ユニットに対してキャンドルの取外しが極めて容易にでき、キャンドル又は照明ユニットのいずれか一方の交換を要する場合に、その一方だけを容易に交換することができて、製品のランニングコストを抑制できる。
【００１０】
また、かかる電飾キャンドル装置では、キャンドルの芯の一端側に火を灯し、キャンドルの蝋体部を照明ユニットの本体部に取り付けて、蝋体部の中空部に照明ユニットの照明手段を配置し、且つ、蝋体部外に一対の露出電極が配置された状態で、一対の露出電極が電気的に接続されると、制御回路によって、蝋体部を照明するために必要な電源が電池から照明手段に供給されて、照明手段によって蝋体部が中空部から照明されるため、任意のタイミングで、蝋体部を内側から照明して、芯の一端側に灯された火との融合による演出効果を確実に創出することができる。
【００１１】
また、本考案に係る電飾キャンドル装置では、電池と制御回路とは、各々板状に構成されており、板状の平たい面同士を対向させて重ねるようにして本体部内に収容されるように構成されることも可能である。
【００１２】
かかる電飾キャンドル装置では、電池と制御回路とは、各々板状に構成されており、板状の平たい面同士を対向させて重ねるようにして本体部内に収容されるため、照明ユニットを小型化することができる。
【００１３】
本考案に係るキャンドルは、発光可能な照明手段と、照明手段のための電源である電池と、照明手段及び電池に各々接続される制御回路と、照明手段及び電池及び制御回路が設けられる本体部と、制御回路に接続され本体部外に露出する一対の露出電極とを備え、制御回路は、一対の露出電極が電気的に接続されると、発光に必要な電源が電池から照明手段に供給されるように、電池から照明手段への電源供給を制御する照明ユニットに対して取り付けられるように構成され、長尺な芯及び該芯の一端側が凸設される蝋材料の蝋体部を備え、前記蝋体部は、開口が形成される開口端、及び、該開口に連通する内部空間である中空部を有して構成されるキャンドルであって、前記蝋体部は、照明ユニットの本体部に分離自在に取付け可能であり、開口端を介して中空部に照明ユニットの照明手段が配置され、且つ、蝋体部外に一対の露出電極が配置されるように、照明ユニットの本体部に取り付けられるように構成されることを特徴とする。
【００１４】
かかるキャンドルでは、蝋体部が照明ユニットの本体部に分離自在に取付け可能であるため、照明ユニットに対してキャンドルの取外しが極めて容易にでき、キャンドルの交換を要する場合に、容易に交換することができて、製品のランニングコストを抑制できる。
【００１５】
また、かかるキャンドルでは、芯の一端側に火を灯し、蝋体部を照明ユニットの本体部に取り付けて、中空部に照明ユニットの照明手段を配置し、且つ、蝋体部外に一対の露出電極が配置された状態で、一対の露出電極が電気的に接続されると、制御回路によって、発光に必要な電源が電池から照明手段に供給されて、照明手段によって蝋体部が中空部から照明されるため、任意のタイミングで、蝋体部を内側から照明して、芯の一端側に灯された火との融合による演出効果を確実に創出することができる。
【００１６】
本考案に係る照明ユニットは、長尺な芯及び該芯の一端側が凸設される蝋材料の蝋体部を備え、前記蝋体部は、開口が形成される開口端、及び、該開口に連通する内部空間である中空部を有して構成されるキャンドルを照明するように構成されており、キャンドルの蝋体部を照明するための照明手段と、照明手段のための電源である電池と、照明手段及び電池に各々接続される制御回路と、照明手段及び電池及び制御回路が設けられる本体部と、制御回路に接続され本体部外に露出する一対の露出電極とを備え、前記制御回路は、一対の露出電極が電気的に接続されると、蝋体部を照明するために必要な電源が電池から照明手段に供給されるように、電池から照明手段への電源供給を制御する照明ユニットであって、前記本体部は、キャンドルの蝋体部に分離自在に取付け可能であり、照明手段が蝋体部の開口端を介して中空部に配置され、且つ、一対の露出電極が蝋体部外に配置されるように、蝋体部に取り付けられるように構成されることを特徴とする。
【００１７】
かかる照明ユニットでは、本体部がキャンドルの蝋体部に分離自在に取付け可能であるため、キャンドルに対して照明ユニットの取外しが極めて容易にでき、照明ユニットの交換を要する場合に、容易に交換することができて、製品のランニングコストを抑制できる。
【００１８】
また、かかる照明ユニットでは、キャンドルの芯の一端側に火を灯し、本体部をキャンドルの蝋体部に取り付けて、照明手段を蝋体部の開口端を介して中空部に配置し、且つ、一対の露出電極を蝋体部外に配置した状態で、一対の露出電極が電気的に接続されると、制御回路によって、蝋体部を照明するために必要な電源が電池から照明手段に供給されて、照明手段によって蝋体部が中空部から照明されるため、任意のタイミングで、蝋体部を内側から照明して、芯の一端側に灯された火との融合による演出効果を確実に創出することができる。
【００１９】
本考案に係るリユース用の照明ユニットは、長尺な芯及び該芯の一端側が凸設される蝋材料の蝋体部を備え、前記蝋体部は、開口が形成される開口端、及び、該開口に連通する内部空間である中空部を有して構成されるキャンドルを照明するように構成されており、キャンドルの蝋体部を照明するための照明手段と、照明手段のための電源である電池と、照明手段及び電池に各々接続される制御回路と、照明手段及び電池及び制御回路が設けられる本体部と、制御回路に接続され本体部外に露出する一対の露出電極とを備え、前記制御回路は、一対の露出電極が電気的に接続されると、蝋体部を照明するために必要な電源が電池から照明手段に供給されるように、電池から照明手段への電源供給を制御するリユース用の照明ユニットであって、前記本体部は、キャンドルの蝋体部に分離自在に取付け可能であり、照明手段が蝋体部の開口端を介して中空部に配置され、且つ、一対の露出電極が蝋体部外に配置されるように、蝋体部に取り付けられるように構成され、先に用いられている電池を、リユースのために照明手段に電源供給可能な容量を有する電池に交換することができるように構成されることを特徴とする。
【００２０】
かかるリユース用の照明ユニットでは、先に用いられている電池を、リユースのために照明手段に電源供給可能な容量を有する電池に交換することができるため、製品のランニングコストを抑制できる。
【考案の効果】
【００２１】
以上のように、本考案に係る電飾キャンドル装置、キャンドル、照明ユニット、リユース用の照明ユニットによれば、キャンドルの蝋体部と照明ユニットの本体部とが互いに分離自在に取付け可能であるため、照明ユニットとキャンドルとの互いの取外しが極めて容易にでき、キャンドル又は照明ユニットのいずれか一方の交換を要する場合に、その一方だけを容易に交換することができて、製品のランニングコストを抑制できると共に、一対の露出電極が電気的に接続されると、制御回路によって、蝋体部を照明するために必要な電源が電池から照明手段に供給されて、照明手段によって蝋体部が中空部から照明されるため、任意のタイミングで、蝋体部を内側から照明して、芯の一端側に灯された火との融合による演出効果を確実に創出することができる。
【図面の簡単な説明】
【００２２】
【図１】本考案の一実施形態に係る電飾キャンドル装置の正面図を示す。
【図２】同電飾キャンドル装置のキャンドルと、照明ユニットの分解図を示す。
【考案を実施するための形態】
【００２３】
以下、本考案に係る電飾キャンドル装置の一実施形態について、図面を参照しつつ説明する。尚、以下の電飾キャンドル装置の説明は、本考案に係るキャンドル、照明ユニット、リユース用の照明ユニットの一実施形態の説明を含む。
【００２４】
本実施形態に係る電飾キャンドル装置は、図１に示すように、キャンドル１と、該キャンドル１を照明するための照明ユニット２とからなる。かかる電飾キャンドル装置は、照明ユニット２を被設置面に載置して、該照明ユニット２に対してキャンドル１を取り付けるように構成されてなる。尚、被設置面は、例えば、冠婚葬祭などの場面でキャンドル１を飾るために用意した台などの被設置体の上面であり、被設置体は、例えばテーブルなどの什器で構成され得る。
【００２５】
キャンドル１は、図２に示すように、長尺な芯１０と、該芯１０の一端側が凸設され、蝋材料で構成される蝋体部１１とを備える。
【００２６】
芯１０は、長尺な線形状をなし、蝋体部１１に対して一端側が凸設して他端側が埋設されてなる。
【００２７】
蝋体部１１は、開口が形成される開口端１１ａ、及び、開口に連通する内部空間である中空部１１ｂを有してなる。具体的には、蝋体部１１は、花形状に構成されており、植物の種類は特に限定されないが、例えば、菊、バラ、チューリップなどの外形で構成され得る。この花形状をなす蝋体部１１の花弁の付根又は萼に当たる基端部は、開口（本実施形態では、丸孔）が形成された環状面である開口端１１ａである。この開口端１１ａの開口は、円柱状の内部空間である中空部１１ｂに連通している。
【００２８】
照明ユニット２は、キャンドル１の開口端１１ａに取り付けられて、キャンドル１を照明するように構成される。具体的には、照明ユニット２は、図２に示すように、蝋体部１１を照明するための照明手段２０と、照明手段２０のための電源である電池２１と、照明手段２０及び電池２１に各々接続される制御回路２２と、照明手段２０及び電池２１及び制御回路２２が設けられる本体部２３と、制御回路２２に接続され本体部２３外に露出する一対の露出電極２４とを備える。
【００２９】
照明手段２０は、一又は複数の発光ダイオードで構成され、発光色は特に限定されず、橙色、赤色、青色、緑色などが可能である。詳細には、照明手段２０は、発光可能な半導体素子で構成される。
【００３０】
電池２１は、その種類は特に限定されないが、例えば、照明ユニット２を小型化できるような板状の電池（ボタン電池）で構成され得る。また、電池２１は、リユース可能に構成される（即ち、照明ユニット２は、リユース用の照明ユニットとして構成され得る）。例えば、電池２１は、先に用いられている電池の容量が消費されるなど、照明手段２０に対して電源供給することが困難又はできない状態になり交換を要するとき、照明手段２０に電源供給可能な容量を有する同一又は異なる電池に交換可能に構成される。詳細には、電池２１は、充電池で構成される場合には、充電後の同一の電池に交換可能に構成され、使い捨ての電池で構成される場合には、異なる電池に交換可能に構成される。
【００３１】
制御回路２２は、板状のＩＣ基板（電流制限抵抗を含む）で構成されており、照明手段２０と電池２１とが各々接続されている。制御回路２２は、後述の一対の露出電極２４が電気的に接続されると、電池２１からの電源（詳細には、照明手段２０が蝋体部１１を照明するために必要な電源）を照明手段２０に向けて供給するように、電池２１から照明手段２０への電源供給を制御するように構成される。換言すれば、制御回路２２は、一対の露出電極２４が電気的に接続されていないと、電池２１からの電源を照明手段２０に向けて供給しないように、電池２１から照明手段２０への電源供給を制御する。
【００３２】
本体部２３は、キャンドル１の蝋体部１１を取付けるための取付け面２３ａを有してなる。具体的には、本体部２３は、キャンドル１の中空部１１部の径よりも小径の円筒状部２５と、該小径の円筒状部２５の下端に設けられ、中空部１１部の径よりも大径の円板部２６と、円筒状部２５の上端開口を開閉自在に構成される蓋部２７とを有してなる。円筒状部２５と円板部２６とは、互いの中心軸が一致するように接続されている。円板部２６の上面のうち、円筒状部２５の径方向外側の面は、環状（ドーナツ状）面をなす取付け面２３ａである（図２参照）。
【００３３】
かかる本体部２３は、例えば、キャンドル１（蝋体部１１）と同じ蝋材料、又は、耐火性の材料で構成されている。また、本体部２３における円筒状部２５の内部空間内には、電池２１と制御回路２２とが収納される。その収容の際には、電池２１（板状のボタン電池）と制御回路２２（板状の基板）との板状の平たい面同士を対向させて重ねると、電池２１と制御回路２２とが内部空間内に占める体積を小さくできるため、本体部２３を小型化することができる（図２参照）。また、本体部２３における蓋部２７の上面又は上部には、照明手段２０が載置又は埋設されており、円筒状部２５の上端開口は、蓋部２７で閉塞されている。
【００３４】
一対の露出電極２４は、一対の導線で構成される。かかる一対の露出電極２４は、一端側が本体部２３外に露出して設けられ、他端側が本体部２３内に収容される制御回路２２に接続される。具体的には、一対の露出電極２４は、一端側が本体部２３外に露出して設けられる一対の導体部２４ａであり、他端側が本体部２３内に収容される制御回路２２に接続される一対の導線２４ｂで構成される。一端側の一対の導体部２４ａと、他端側の一対の導線２４ｂとは接続されており、一対の導体部２４ａは、水などの液体又は手などの人体による接触によって、互いに電気的に接続可能な凸状部で構成される。一対の導体部２４ａは、例えば、柱状の端子、又は、断面略Ｔ字状のピンで構成され得る。本実施形態では、一対の導体部２４ａ（正極と負極）は、円板部２６の底面に離間して配置されている。尚、一対の露出電極２４のうち、本体部２３外に露出している一端側は、一対の導体部２４ａでなく、一対の導線部分（正極と負極）で構成されることも可能である。
【００３５】
以上の構成からなる電飾キャンドル装置の使用方法について説明する。図１に示すように、キャンドル１を照明ユニット２に取り付ける。具体的には、キャンドル１の蝋体部１１の開口端１１ａを、照明ユニット２の本体部２３の取付け面２３ａに載置して取り付ける。即ち、キャンドル１（開口端１１ａ）と、照明ユニット２（取付け面２３ａ）とは互いに対して、分離自在に取付け可能になっている。
【００３６】
キャンドル１の開口端１１ａと照明ユニット２の取付け面２３ａとを当接させて、キャンドル１が照明ユニット２に取り付けられた状態では、キャンドル１の開口端１１ａを介して中空部１１ｂに、照明ユニット２の照明手段２０が配置されている。具体的には、キャンドル１の中空部１１ｂに、照明ユニット２の本体部２３のうち、円筒状部２５及び蓋部２７が配置されている。即ち、キャンドル１の中空部１１ｂに、照明ユニット２の照明手段２０と、制御回路２２と、電池２１とが配置されている。また、キャンドル１の蝋体部１１（中空部１１ｂを含む）外に、照明ユニット２の円板部２６と、一対の露出電極２４とが配置されている。
【００３７】
そして、キャンドル１を取り付けた照明ユニット２を、被設置面（例えば、什器の上面）に載置すると、キャンドル１は、被設置面に対して立設状態となる。
【００３８】
このように、電飾キャンドル装置を被設置面に設置した状態において、照明ユニット２の一対の露出電極２４が電気的に接続されていないとき、制御回路２２は、電池２１からの電源を照明手段２０に供給しないように、電源供給を制御する。従って、電池２１からの電源は、キャンドル１の照明手段２０に供給されておらず、蝋体部１１は照明されない。
【００３９】
一方、一対の露出電極２４は、例えば、水などの液体又は手などの人体による接触によって、電気的に接続されると、制御回路２２は、照明手段２０が蝋体部１１を照明するために必要な電源を電池２１から照明手段２０に向けて供給するように、電源供給を制御する。その結果、照明手段２０は、蝋体部１１を照明する。
【００４０】
よって、キャンドル１の芯１０の一端側に火をつけた状態で、一対の露出電極２４を電気的に適宜接続すると、任意のタイミングで、照明手段２０によって、蝋体部１１を内側から確実に照明することができる。電飾キャンドル装置を視認する者には、キャンドル１の火と、照明手段２０の光で蝋体部１１を透過した透過光とが適宜融合して視認される。
【００４１】
また、電飾キャンドル装置を長期間使用した結果、キャンドル１が一定程度消費されるなど交換を要するときには、キャンドル１と照明ユニット２とを分離して、照明ユニット２からキャンドル１を取り外すことで、照明ユニット２を継続使用しつつ、一定程度消費されたキャンドル１だけを、新しいキャンドルに交換できる。或いは、照明ユニット２が破損等して交換を要する場合にも、キャンドル１と照明ユニット２とを分離して、キャンドル１から照明ユニット２を取り外すことで、キャンドル１を継続使用しつつ、破損等した照明ユニット２だけを、新しい照明ユニットに交換することもできる。更に、電池２１の容量が消費されて、照明手段２０が蝋体部１１を照明するために必要な電源供給力を失った場合など電池交換を要する場合には、本体部２３の蓋部２７を開閉することで、電池２１は、リユースのために、照明手段２０に電源供給可能な容量を有する同一又は異なる電池に交換され得る。
【００４２】
以上のように、本実施形態に係る電飾キャンドル装置によれば、キャンドル１は、蝋体部１１が照明ユニット２の本体部２３に分離自在に取付け可能であるため、照明ユニット２に対してキャンドル１の取外しが極めて容易にでき、キャンドル１又は照明ユニット２のいずれか一方の交換を要する場合に、その一方だけを容易に交換することができて、製品のランニングコストを抑制できる。
【００４３】
また、かかる電飾キャンドル装置では、キャンドル１の芯１０の一端側に火を灯し、キャンドル１の蝋体部１１を照明ユニット２の本体部２３に取り付けて、蝋体部１１の中空部１１ｂに照明ユニット２の照明手段２０を配置し、且つ、蝋体部１１外に一対の露出電極２４が配置された状態で、一対の露出電極２４が電気的に接続されると、制御回路２２によって、蝋体部１１を照明するために必要な電源が電池２１から照明手段２０に供給されて、照明手段２０によって蝋体部１１が中空部１１ｂから照明されるため、任意のタイミングで、蝋体部１１を内側から照明して、芯１０の一端側に灯された火との融合による演出効果を確実に創出することができる。
【００４４】
また、本実施形態に係る電飾キャンドル装置では、電池２１と制御回路２２とは、各々板状に構成されており、板状の平たい面同士を対向させて重ねるようにして本体部２３内に収容されるため、照明ユニット２を小型化することができる。
【００４５】
また、本実施形態に係るキャンドル１では、蝋体部１１が照明ユニット２の本体部２３に分離自在に取付け可能であるため、照明ユニット２に対してキャンドル１の取外しが極めて容易にでき、キャンドル１の交換を要する場合に、容易に交換することができて、製品のランニングコストを抑制できる。
【００４６】
また、かかるキャンドル１では、芯１０の一端側に火を灯し、蝋体部１１を照明ユニット２の本体部２３に取り付けて、中空部１１ｂに照明ユニット２の照明手段２０を配置し、且つ、蝋体部１１外に一対の露出電極２４が配置された状態で、一対の露出電極２４が電気的に接続されると、制御回路２２によって、発光に必要な電源が電池２１から照明手段２０に供給されて、照明手段２０によって蝋体部１１が中空部１１ｂから照明されるため、任意のタイミングで、蝋体部１１を内側から照明して、芯１０の一端側に灯された火との融合による演出効果を確実に創出することができる。
【００４７】
また、本実施形態に係る照明ユニット２では、本体部２３がキャンドル１の蝋体部１１に分離自在に取付け可能であるため、キャンドル１に対して照明ユニット２の取外しが極めて容易にでき、照明ユニット２の交換を要する場合に、容易に交換することができて、製品のランニングコストを抑制できる。
【００４８】
また、かかる照明ユニット２では、キャンドル１の芯１０の一端側に火を灯し、本体部２３をキャンドル１の蝋体部１１に取り付けて、照明手段２０を蝋体部１１の開口端１１ａを介して中空部１１ｂに配置し、且つ、一対の露出電極２４を蝋体部１１外に配置した状態で、一対の露出電極２４が電気的に接続されると、制御回路２２によって、蝋体部１１を照明するために必要な電源が電池２１から照明手段２０に供給されて、照明手段２０によって蝋体部１１が中空部１１ｂから照明されるため、任意のタイミングで、蝋体部１１を内側から照明して、芯１０の一端側に灯された火との融合による演出効果を確実に創出することができる。
【００４９】
また、照明ユニット２をリユース用の照明ユニットとして構成したときには、先に用いられている電池２１を、リユースのために照明手段２０に電源供給可能な容量を有する電池に交換することができるため、製品のランニングコストを抑制できる。
【００５０】
尚、本考案に係る電飾キャンドル装置、キャンドル、照明ユニット、リユース用の照明ユニットは、上記実施形態に限定されるものではなく、本考案の要旨を逸脱しない範囲で種々の変更が可能である。
【００５１】
例えば、上記実施形態では、本体部２３は、円筒状部２５と円板部２６と蓋部２７とで構成される場合について説明したが、これに限らず、本体部２３は、例えば、キャンドル１を分離自在に取付け可能な取付け面２３ａを有する基部と、該基部に設けられて、電池２１、制御回路２２及び照明手段２０を保持する保持部とを備えて構成されることも可能である。このとき、電池２１の交換し易さを鑑みて、保持部は、電池を着脱自在に保持する構成とし得る。
【００５２】
また、取付け面２３ａは、キャンドル１の開口端１１ａに当接する面のみで構成される場合に限らず、取付け面２３ａは、キャンドル１の開口端１１ａに当接する面、又は、中空部１１ｂの周壁部に当接する面の何れか少なくとも一方で構成することも可能である。例えば、上記実施形態の本体部２３の円筒状部２５の径と、中空部１１ｂの径とを略等しく構成する場合、キャンドル１を照明ユニット２に取り付けると、円筒状部２５は、中空部１１ｂに嵌め込まれて、円筒状部２５の側面は、中空部１１ｂの周壁部に当接する。即ち、この場合、円筒状部２５の側面は、中空部１１ｂの周壁部に当接する取付け面として構成されている。
【００５３】
また、本体部２３の円筒状部２５は、内部空間を有さない構成とすることも可能であり、例えば、円筒状部２５は、円柱状部で構成され、電池２１、制御回路２２を内部に埋設可能に構成することも可能である。
【００５４】
また、上記実施形態では、キャンドル１の中空部１１ｂ、照明ユニット２の円筒状部２５、円板部２６は、何れも円柱状に構成される場合について説明したが、これに限らず、中空部１１ｂ、円筒状部２５、円板部２６は、水平断面が三角形や四角形などの多角形である多角柱状で構成されることも可能である。
【００５５】
また、上記実施形態では、照明ユニット２は、一対の露出電極２４を備える場合について説明したが、これに限らず、照明ユニット２は、複数対の露出電極を備えることも可能である。
【符号の説明】
【００５６】
１…キャンドル、２…照明ユニット、１０…芯、１１…蝋体部、１１ａ…開口端、１１ｂ…中空部、２０…照明手段、２１…電池、２２…制御回路、２３…本体部、２３ａ…取付け面、２４…一対の露出電極、２４ａ…導体部、２４ｂ…導線、２５…円筒状部、２６…円板部、２７…蓋部
【図１】
0003187846.tif 000003
【図２】
0003187846.tif 000004